(57)【要約】  本発明は、外面、上記外面の背面にある裏込め、上記裏込めに配分された合成の補強ストリップ、および上記補強ストリップと裏込めとの間にある接続システムを備えている構造に関する。上記接続システムは、連続している閉じた湾曲の形状を有している複数の固定具を含んでおり、上記固定具のそれぞれは、上記外面に引っ掛けるための２つの第１の部分、および上記閉じた湾曲形状に沿って上記第１の部分と互い違いになっている２つの第２の部分を含んでおり、上記２つの第２の部分は、外面の背面に向かって伸びており、折り返されて２つの湾曲を形成しており、上記２つの湾曲のなかに少なくとも１つの補強ストリップが伸びている。
2013524043.tif 000002
【特許請求の範囲】
【請求項１】
外面（４；５４）；
上記外面の背面側にある裏込め（１）；
上記裏込めに配分された合成の補強ストリップ（２）；および
上記補強ストリップと上記裏込めとの間にある接続システム（３０、４０；８０、９０）を備えている建築構造であって、
上記接続システムは、連続している閉じた湾曲の形状を有している複数の固定具（３０；８０）を含んでおり、
複数の上記固定具のそれぞれは、
上記外面（３０Ａ；８０Ａ）に引っ掛けるための２つの第１の部分；および
上記閉じた湾曲の形状に沿って、上記第１の部分と互い違いになっている２つの第２の部分（３０Ｂ；８０Ｂ）を有しており、
上記２つの第２の部分は、上記外面の背面の方に伸びており、折り返されて少なくとも１つの補強ストリップ（２）が通っている２つの湾曲を形成していることを特徴とする構造。
【請求項２】
一方において固定具（３０；８０）の第２の部分（３０Ｂ；８０Ｂ）によって形成されている２つの湾曲と、他方において上記２つの湾曲を通っている上記補強ストリップ（２）との間に配置されている、少なくとも１つのガイド手段（４０；９０）をさらに備えており、上記ガイド手段は、上記補強ストリップによって加えられる張力に応じて圧縮状態になる、請求項１に記載の構造。
【請求項３】
固定具（８０）は実質的に剛体である、請求項１または２に記載の構造。
【請求項４】
上記外面（５４）はメッシュの形態であり、
固定具（８０）の上記第１の部分（８０Ａ）は、上記メッシュの少なくとも１つの筋を回って取り付けられている、請求項３に記載の構造。
【請求項５】
上記外面（５４）は、幾つかのメッシュ要素（５４Ａ、５４Ｂ）を含んでおり、
少なくとも１つの固定具（８０）において、それぞれの上記第１の部分（８０Ａ）が、隣接する２つのメッシュ要素の少なくとも２つの筋を回って取り付けられている、請求項４に記載の構造。
【請求項６】
上記裏込め（１）は、上記補強ストリップ（２）が伸びている第１層；および上記第１層と上記外面（５４）との間にある第２層を含んでおり、
上記第２層には、少なくともいくつかの上記固定具（８０）が伸びており、また、裏込めの上記第２層は、上記第１層より微細ではない材料からつくられている、請求項３から５の何れか１項に記載の構造。
【請求項７】
上記固定具（３０）は、閉じた湾曲に巻かれている繊維から作られている柔軟な帯である、請求項１または２に記載の構造。
【請求項８】
一方において固定具（３０）の上記第２の部分（３０Ｂ）から形成されている上記２つの湾曲と、他方において上記２つの湾曲のなかを通っている上記補強ストリップ（２）との間に取り付けられている少なくとも１つのガイド手段（４０）をさらに備えており、
上記ガイド手段は、上記補強ストリップ（２）を受け入れるための曲線状の第１の表面（３６）および上記柔軟な帯の上記第２の部分（３０Ｂ）の上記２つの湾曲を受け入れるための曲線状の第２の表面（３４）から作られており、上記第１および第２の上記表面のそれぞれは、２つの直立板に湾曲を有している、請求項７に記載の構造。
【請求項９】
上記ガイド手段（４０）は、上記ガイド手段の曲線状の上記第２の表面（３４）に受け入れられている、上記柔軟な帯（３０）の上記第２の部分（３０Ｂ）を隔てるためのスペーサ（３８、３９）を備えている、請求項８に記載の構造。
【請求項１０】
上記外面（４）は、上記裏込めに隣接する上記外面の背面（７）にある２つの出現点（６）の間を通って形成されている扁平な横断面を有している通路を、少なくとも１つの固定領域に組み込んでいる成型材料から作られており、
上記柔軟な帯（３０）の上記第１の部分（３０Ａ）は、上記通路の内部に入れられている、請求項７〜９のいずれか１項に記載の構造。
【請求項１１】
上記通路は、上記２つの出現点（６）と隣接する２つの部分（８）、上記出現点のそれぞれと隣接する上記２つの部分を延長している２つの湾曲部（９）、および上記２つの湾曲部を互いに連結している接続部を含んでおり、
上記２つの部分のそれぞれが配置されて、上記背面（７）と実質的に直交する出現平面（Ｐ）と平行な上記通路にはめ込まれている細長い要素を位置決めしており、
上記２つの湾曲部が配置されて、上記出現平面から上記要素を離れさせており、
上記２つの湾曲部は、上記出現平面の外側に位置している少なくとも１つの湾曲（１０）を有している、請求項１０に記載の構造。
【請求項１２】
地面を補強する構造を構築する方法であって、
上記構造の前面側に外面（４；５４）を組み立てること；
連続している閉じた湾曲の形状を有している複数の固定具（３０；８０）を上記外面に対して取り付けること、ここで、上記固定具のそれぞれは、上記外面（３０Ａ；８０Ａ）に引っ掛けるための２つの第１の部分、および上記閉じた湾曲形状に沿って、上記第１の部分と互い違いになっている２つの第２の部分を含んでおり、上記２つの第２の部分は、上記外面の背面の方に伸びており、折り返されて２つの湾曲を形成しており；
固定具の上記第２の部分によって形成されている上記２つの湾曲のなかに少なくとも１つの補強ストリップを通すことによって、合成の補強ストリップ（２）を上記外面に接続すること；
上記固定具を用いて上記外面に接続されている上記補強ストリップが伸びている、上記外面の背面を裏込めすることを包含している、方法。
【請求項１３】
少なくとも１つのガイド手段（４０；９０）は、一方において固定具の上記第２の部分（３０Ｂ；８０Ｂ）によって形成されている上記２つの湾曲と、他方において上記２つの湾曲のなかを通っている上記補強ストリップ（２）との間に、上記補強ストリップに張力が加わると上記ガイド手段が圧縮状態になるように配置される、請求項１２に記載の方法。
【請求項１４】
上記外面（５４）はメッシュの形態であり、
上記固定具（８０）は、実質的に剛体であり、上記メッシュの筋の少なくとも１つを回って、それらの上記第１の部分（８０Ａ）を通させることによって配置される、請求項１２または１３に記載の方法。
【請求項１５】
上記外面（４）は、上記外面の背面（７）側にある２つの出現点（６）の間を通って形成されている扁平な横断面を有している通路を、少なくとも１つの固定領域に組み込んでいる成型材料から作られており、上記固定具（３０）は、閉じた湾曲に巻かれている繊維から作られている柔軟な帯であり、上記合成の補強ストリップを上記外面に接続させており、
上記柔軟な帯を自身に対して折り畳み、折り畳んだ帯の一端を、上記出現点の１つにおいて上記通路にはめ込むこと；
上記通路の他の上記出現点から出てくるまで、折り畳んだ上記帯を上記通路に入れること；
上記通路に上記第１の部分（３０Ａ）を残して、上記２つの出現点からはみ出す帯の長さを等しくさせること；
上記外面の側とは反対にある帯の２つの端部をつないで、上記第２の部分（３０Ｂ）の上記湾曲を形成すること；および
上記２つの湾曲のなかに少なくとも１つの補強ストリップ（２）を通すことを包含している、請求項１２または１３に記載の方法。
【発明の詳細な説明】
【発明の詳細な説明】
【０００１】
本発明は補強された地面の構造を構築する技術に関する。
【０００２】
そのような構造は、外面、当該外面の背面側を満たしている裏込め、当該裏込めを機械的に安定させるために当該裏込めに分配されている補強構成要素、ならびに当該補強構成要素および裏込めの間にある接続システムを一般的に備えている。
【０００３】
本発明は、柔軟な合成ストリップの形態における補強構成要素に注目する。この種の補強は、その機械的な能力および良好な腐食耐性のために広く使用されている。
【０００４】
異なる種類の外面があり、当該種類のそれぞれは用途の好ましい領域に合わせられている。特に、コンクリートの外面、事前成形もしくは現場における成形、および金属のメッシュから作製されている外面がある。
【０００５】
コンクリートの外面にとって、補強ストリップおよびコンクリートの間における接続が、従来、困難さの原因である。屈曲するか、またはせん断変化する中間の接続部品は、可能な限り排除されるべきである。可能性の１つは、コンクリートの外面の要素に通路を設けることである。当該通路は、補強ストリップがいったん配置されると、外面に対してストリップを固定するために使用される。この種の解決方法は国際公開第２００７／１０２０７０号に記載されている。しかし、この種の解決方法は、外面のすぐ後ろにある補強ストリップの方向を制限し、保持構造の特定の構成において配置に関する問題を引き起こし得る。
【０００６】
したがって、補強ストリップの可能な構成に関して、良好な機械特性を維持しつつ、十分な自由度をもたらす接続方法に対する必要性がある。
【０００７】
メッシュ型の外面は、柔軟な合成ストリップの形態における裏込めの補強要素と共にまれにしか使用されない。この理由の１つは、複数のストリップがメッシュに取り付けられているときに上記複数のストリップが構造の前面において直接に視認でき、上記複数のストリップを予想外または故意の損傷にさらすことであり得る。さらに、メッシュ型の外面は、柔軟なストリップに基づく補強を使用するための都合のよい環境ではない、石の多い裏込めと共に使われることがしばしばある。また、これらの制限を乗り越える必要がある。
【０００８】
外面、外面の背面側にある裏込め、裏込めに配分されている合成の補強ストリップ、および補強ストリップと裏込めとの間の接続システムを備えている建築構造が提案される。上記接続システムは、連続している閉じた湾曲の形状を有している複数の固定具を含んでいる。固定具のそれぞれは、外面に引っ掛けるための２つの第１の部分、および閉じた湾曲形状に沿って上記第１の部分と互い違いになっている２つの第２の部分を含んでいる。当該２つの第２の部分は、外面の背面の方に伸びており、折り返されて少なくとも１つの補強ストリップが通っている２つの湾曲を形成している。
【０００９】
連続している閉じた湾曲の形状を有している固定具の使用は、外面にストリップを強固に接続することを可能にし、せん断応力を受ける介在部品の使用を回避する。閉じた湾曲の連続しているという性質は、固定具の変形によって接続を損なうリスクを抑える。固定具の変形は、裏込めによって形成される負荷のために補強ストリップから受け得る大きな張力に起因する。上記固定具のトポロジーは、固定具が種々の構成において設置され得るという意味を有している。
【００１０】
ガイド手段は、当該手段が補強ストリップによって加えられる張力に応じて圧縮状態になるように、一方において固定具の第２の部分によって形成されている２つの湾曲と、他方においてこれらの２つの湾曲なかを通っている補強ストリップとの間に取り付けられている。
【００１１】
上記構造の一実施形態において、固定具は、金属製であり、実質的に剛体である。この種の実施形態は、外面がメッシュの形態であるときに特に適切であり、その場合において、固定具の第１の部分は、上記メッシュの少なくとも１つの筋を回って取り付けられている。
【００１２】
外面がいくつかのメッシュ要素を備えている場合に、２つの隣接するメッシュ要素の少なくとも２つの筋のそれぞれを回って固定具の第１の部分を配置することによって、そのような要素の組立てに貢献するために、固定具を使用することが可能であり得る。
【００１３】
特に、擁壁における裏込めは２つの層をときに備えている。メッシュの外面と隣接している一方の層は粗い粒状の材料（例えば石材）によって構成されている。さらなる背後に置かれている他方の層は、より微細な材料（例えば、土または砂）から作られている。この場合、剛体の固定具は、合成の補強ストリップの尖った先端を、補強ストリップを主により微細な材料の層に伸ばすことによって、外面から離して置くことを可能にし、同時に、剛体の固定具は、上記補強ストリップを接続するために、より粗い材料の層に伸びている。
【００１４】
上記構造の他の実施形態において、固定具は、閉じた湾曲に巻かれている繊維から作られている柔軟な帯である。この場合において、ガイド手段が、固定具の第２の部分によって形成される２つの湾曲と、これらの２つの湾曲のなかを通っている補強ストリップとの間に設けられているとき、ガイド手段は、補強ストリップを受け入れるための曲線状の第１の表面、および柔軟な帯の第２の部分の２つの湾曲を受け入れるための曲線状の第２の表面を備え得る。当該第１の表面および第２の表面のそれぞれは、２つの直立板に湾曲を有している。スペーサは、接続部におけるより良好な応力の伝達を確実にすることを目的として、ガイド手段の曲線状の第２の表面に受け入れられている柔軟な帯の第２の部分を隔てるために設けられ得る。
【００１５】
外面が、上記裏込めに隣接する上記外面の背面側にある２つの出現点の間を通って形成されている扁平な横断面を有している通路を、少なくとも１つの固定領域に組み込んでいる成型材料から作られている場合に、柔軟な帯の形態における固定具は、特に適している。柔軟な帯の第１の部分は、そのとき、外面の固定領域中に形成されている通路のなかに配置されている。上記帯の柔軟性は、外面の出現点における通路によって強いられる方向によって過度に妨げられることなく、裏込めにおける補強ストリップの方向を決めて配置することを可能にする。特定の実施形態において、通路は、２つの出現点と隣接する２つの部分、出現点のそれぞれと隣接する２つの部分を延長している２つの湾曲部、および２つの湾曲部を互いに連結している接続部を含んでいる。当該２つの部分のそれぞれが配置されて、背面と実質的に直交する出現平面と平行な通路にはめ込まれている細長い要素を位置決めしている。当該２つの湾曲部が配置されて、出現平面から上記要素を逸れさせている。当該２つの湾曲部は、出現平面の外側に位置している少なくとも１つの湾曲を有している。
【００１６】
他の局面によれば、地面を補強する構造を構築する方法が提案される。当該方法は、（ｉ）上記構造の前面側に外面を組み立てること；（ｉｉ）連続している閉じた湾曲の形状を有している複数の固定具を上記外面に対して取り付けること、ここで、上記固定具のそれぞれは、上記外面に引っ掛けるための２つの第１の部分、および上記閉じた湾曲形状に沿って、上記第１の部分と互い違いになっている２つの第２の部分を含んでおり、上記２つの第２の部分は、上記外面の背面の方に伸びており、折り返されて２つの湾曲を形成しており；（ｉｉｉ）固定具の上記第２の部分によって形成されている上記２つの湾曲のなかに少なくとも１つの補強ストリップを通すことによって、合成の補強ストリップ（２）を上記外面に接続すること；ならびに（ｉｖ）上記固定具を用いて上記外面に接続されている上記補強ストリップが伸びている、上記外面の背面を裏込めすることを包含している。
【００１７】
外面がメッシュの形態であるとき、固定具は、実質的に剛体であり得、上記メッシュの筋の少なくとも１つを回って、それらの第１の部分を通させることによって配置され得る。
【００１８】
外面が、外面の背面側にある２つの出現点の間を通って形成されている扁平な横断面を有している通路を、少なくとも１つの固定領域に組み込んでいる成型材料から作られているとき、固定具は、閉じた湾曲に巻かれている繊維から作られている柔軟な帯であり得る。この場合、外面に対する合成の補強ストリップの接続は、柔軟な帯を自身に対して折り畳み、出現点の１つにおいて上記通路にはめ込むこと、通路の他の出現点から出てくるまで、折り畳んだ帯を通路に入れること、通路に第１の部分を残して、２つの出現点からはみ出す帯の長さを等しくさせること、外面の側とは反対にある帯の２つの端部をつないで、第２の部分の湾曲を形成すること、および２つの湾曲のなかに少なくとも１つの補強ストリップを通すことからなる段階を包含し得る。
【００１９】
本発明のさらなる特徴および利点は、添付の図面を参照する非限定的な実施形態の以下の記載から明らかになる。
図１は、地面を補強する擁壁の概略の断面図であり；
図２はおよび図３は、第１の実施形態における合成の補強ストリップが外面を通る通路を示す断面図および斜視図であり；
図４は、第１の実施形態における、外面の要素の内部にある、補強ストリップの通路を規定するために使用され得る部分の斜視図であり；
図５は、第１の実施形態における、補強ストリップを外面に接続するために使用され得る固定具の図であり；
図６は、第１の実施形態における、固定具と補強ストリップとの間に使用され得るガイド手段の斜視図であり；
図７〜図９は、第１の実施形態における、補強ストリップを取り付ける段階を示す図であり；
図１０は、第２の実施形態における外面、固定具および補強ストリップの斜視図である。
【００２０】
図１は、補強された地面の擁壁の構造物に対する、本発明の適用例を示している。図１に例示されているように、補強材２が分配されている密な裏込め１は、図１に示されている例において、パネル形状の組立式要素４を並べることによって形成されている外面３によって構造の前面側、および擁壁が築かれている地盤５によって背面側について区切られている。
【００２１】
補強材２は、外面３の背面に対して水平な平面に伸びている柔軟なストリップの形態における合成の補強材からなる。特に、これらは、ポリエチレンのスリーブを有しているポリエステル繊維に基づく補強ストリップであり得る。
【００２２】
補強ストリップ２は、外面３を形成するために組み立てられている組立式要素４に固定されている。これらの要素４は、例えば補強されたコンクリートから作製されている。示されている例において、それらはパネルの形態である。また、それらは、他の形態（特にブロック）を取り得る。そのような要素４にコンクリートが注がれるとき、通路は、上記ストリップおよび上記要素の間に固定をもたらすために補強ストリップのための所定の経路に沿って作られている。ストリップがこの経路に沿っていったん配置されると、各ストリップは、それらが裏込めされている区画に配置され得るように、上記要素から突出する２つの部分を有している。
【００２３】
上記構造を構築するために以下のステップが実施され得る。
ａ）裏込め材料が、ある高さを越えて配置され得るような、いくつかの外面要素４の配置。公知の手法において、外面要素の組立および配置は、それらの間に置かれる組立構成材によって容易にされ得る。外面要素４に設けられるストリップ２のための位置は、それらのいくつかが組立のときに同じ水平レベルに配置されるように選択される；
ｂ）充填材料を配置すること、および補強ストリップ２の配置が予定されている次の高さまで徐々に充填材料を圧縮すること；
ｃ）外面に対して固定することによって１つ以上の補強ストリップ２を配置すること、およびこの高さにおいて裏込め１の方にそれらを広げること；
ｄ）直前に配置された補強ストリップ２の上に充填材料を配置すること。この充填材料は、配置しながら圧縮される。
ｅ）数層のストリップが外面要素４の並びにつき予定されている場合に、ステップｂ）〜ｄ）を繰り返すこと；
ｅ）裏込めの上部の高さが目的に達するまで、ステップａ）〜ｅ）を繰り返すこと。
【００２４】
上記充填材料が配置されており、圧縮されているときに、より低い高さにおいてすでに配置されている補強ストリップ２は、張り詰めた状態になる。この引っ張りは、ストリップおよび充填材料の間に摩擦を生じ、構造物を強化する。
【００２５】
図２および３は、国際公開第２００７／１０２０７０号に記載のような、コンクリートの外面における補強ストリップの考えられる構成を示している。外面要素からのそれらの出現点６において、ストリップ２の２つの部分は、平面Ｐに対して直交する任意のオフセットなしで（図２および図３に示されているような）、またはそのようなオフセットありで（国際出願第ＰＣＴ／ＦＲ２００９／０５２３５３号を参照）、出現平面Ｐと平行である。外面３の組立てによって、要素４は、この出現平面が水平であるように、一般的に方向づけられる。
【００２６】
図２は、補強ストリップの通路を有している、いくつかの実施形態に使用され得る裏込め要素の略図である。従来の通り、要素４は、注型コンクリートから作製されている。通路は、当該要素の背面７（裏込めに隣接する外面）にあるストリップの２つの部分の２つの出現点６の間において要素４の内部に規定されている。図２における当該要素に対応する通路は図３によって示されている。当該通路は、要素の背面７に対して直交して、出現点６から伸びている、２つの直線部分８を有している。直線部分８のそれぞれにおいて、ストリップは、出現平面Ｐにとどまっている。直線部分８は、背面７に対して直交する寸法を取ったとき、要素４の本体の厚さの少なくとも半分にわたって伸びている。これは、背面７の近傍におけるコンクリート対する不利益な応力を回避する。ストリップの通路の直線部分８のそれぞれは、湾曲部９のそれぞれによって延長されており、当該ストリップは出現平面Ｐから逸らされている。この湾曲部９を越えると、ストリップ２は、上記要素の前面に沿って伸びており、上記構造の表面から見えないように、わずかな距離が当該前面から背後に配置されている。２つの湾曲部９のそれぞれは、出現平面Ｐの外側に位置する湾曲１０を有している接続部によって接続されている。
【００２７】
実際、要素４のコンクリートは、成形物材に直接的に設置される合成ストリップとともに、流し込まれない。むしろ、図４に示されているようなガイド部品１５が、成形部の中に配置される。
【００２８】
部品１５は、剛体プラスチックから作製されているシースを備えており、その内部の切断面は、平坦化されて、補強ストリップ４を受け入れる通路を形成している。ストリップ４は、コンクリート要素の厚みに従わなければならなく、そのためシースは、あらかじめ決められた通路に沿って形成されている。したがって、上記シースは、図２および図３で参照される直線部分８、湾曲部９および接合部１０を規定する部分１８、１９、２０を備えている。シースの端部１６は、ストリップ４の挿入を容易にするために張り出し状に開かれている。シースを曲がりにくくするため、部品１５は、２つの端部１６の間に、コンクリートに対して突出している突出部１７を有しており、それは、要素のコンクリートが注がれたとき、上記シースが正しい位置にとどまっていることを保証する。続いて補強ストリップを設置するために、ケーブル、コードまたはストラップ１２のような引っ張るための部品がシースのなかに配置され得る。
【００２９】
シースの張り出しの端部１６は、外面４の背面において、ストリップ２がある一定量のずれることを許容するが、このずれは、特に、コンクリート外側のストリップの出現平面Ｐに平行な面に制限される。この制限を克服するため、図５に示されているような、柔軟なベルト形状の固定具が使用される。
【００３０】
柔軟なベルト３０の形状の固定具は、閉じた湾曲に巻かれている繊維（例えば、補強ストリップ２に使われている同一タイプのポリエステル繊維）から作製されている。例えば、帆布から作製されているスリーブは、巻かれた繊維によって形成されるひものまわりに配置される。
【００３１】
図５は、柔軟なベルト形状の固定具３０の、構造に設置された際の構成を示している。２つの部分３０Ａは、屈曲され、外面要素におけるシース１５によって規定される通路に沿って互いにかみ合う２つの湾曲を形成しており、他の２つの部分３０Ｂは、固定具３０の閉じた湾曲形状に沿って部分３０Ａと互い違いになっており、補強ストリップ２の接続に使用される。
【００３２】
固定具３０および補強ストリップ２の間における接続は、図６に示されている実施形態のガイド手段４０によって好ましくなされている。この例において、ガイド手段は、互いを挟んでいる２つのガイド３２、３３を備えている。第１のガイド３２は固定具３０の湾曲部３０Ｂを受け入れており、第２のガイドは裏込め１のなかに折り返させるために補強ストリップ２を受け入れている。上記ガイド３２は、湾曲部３０Ｂを離れさせ、ガイドするために使用されている曲線状の表面３４を有している。表面３４は、実質的に平行な２つのウイング３５によって延長されている。同様に、第２のガイド３３は、補強ストリップ２を離れさせ、ガイドするための曲線状の表面３６を有している。表面３６は、２つのウイング３７によって延長されている。
【００３３】
第１のガイド３２のウイング３５は、曲線状の表面３４に受け入れられる、柔軟なベルトのガイド部分３０Ｂを分けるために使用されるリブ３８形状のスペーサを有している。また、スペーサリブ３９は、曲線状の表面３４自体にあてがわれる。
【００３４】
いったん組立てが完了すると、ベルト３０の部分３０Ｂは、ウイング３５に沿い、かつガイド３２に従って、曲線状の表面３４のまわりに巻きつけられる。それらは、スペーサ３８、３９によって互いに分離された状態を維持して、上記部分３０Ｂを形成する繊維のひもの２つの部分が重なることを回避している。ウイング３７および曲線状の表面３６に従って、補強ストリップ２がガイド３３を迂回している。
【００３５】
表面３４、３６のそれぞれは、２つの直立板に対して湾曲している。上記２つの表面は、第１のガイド３２が湾曲を有している板が実質的に水平になるように、配置される。これは、補強ストリップ２が裏込めにおいて水平に配置されることを可能にする。２つの曲線状の表面の３４、３６の間において、ガイド手段は、より好ましい応力の様式である圧縮状態になる。上記２つの表面３４、３６の間において、２つのガイド３２、３３は、平坦な表面によって互いに支えられ得る。変形物として、ガイド手段４０が、上述した２つのガイド３２、３３を結合することによって形成される形状と同じ形状を有している１つの部品として形成され得る。
【００３６】
図７〜９は、図５を参照して説明されるような柔軟なベルト３０、および図６に参照して説明されるようなガイド手段４０を備えている接続システムの組立部品を示している。
【００３７】
図７は、図４に示されている種類の部品１５が組み込まれている注型コンクリートの外面要素４を示している。柔軟な固定具３０は、部品１５によってコンクリートにおいて形成される、平坦な断面を有しているシースの通路の出現点６の１つに位置する張り出しの端部１６の一方の近傍において、シースにあらかじめ配置されたストラップ１２に取り付けられている。他方の端部１６では、ストラップ１２が引かれることによって、柔軟な固定具３０が自身を折り畳み、通路にはめ込まれる。図８に示されているように、上記柔軟な固定具３０が要素４から出てくるまで通路に沿って引っ張られる。それから、ストラップ１２および／または固定具３０は、外面要素４から突出している２つの長さが等しくなるように再び引っ張られる。この段階で、柔軟なベルトの形態における固定具３０の２つの部分３０Ａは、部品１５においてシースによって形成される通路に配置されている。図９に示されるように、ガイド手段４０は、外面から最も離れた固定具３０の２つの部分３０Ｂに配置され得る。
【００３８】
このような配置のために、手段４０は、ガイド３２の曲線状の表面に対して適用される、ベルトの部分３０Ｂによって形成されている２つの湾曲部に配置される。これら２つの湾曲部は、平行であり、ガイド手段４０において互いにスペーサ３８によって隔てられている。それから、補強ストリップ２は、２つの湾曲部３０Ｂを通り、他方のガイド３３の曲線状の表面に沿って進んでいる。必要に応じて、手段４０のまわりにストラップを結ぶことによって、上記ストリップ１２は、ストリップ２を所定の位置に保持されるために使用される。したがって、ストリップ２は張力を受け得る。固定具３０の柔軟性のために、構造の設計者は、水平面における所望の方向にストリップを配置し得る。
【００３９】
補強された地面の構造の他の実施形態は図１０に示されている。この場合に、外面は、金属のメッシュ５４を用いて製造されており、連続している閉じた湾曲形状の固定具８０は剛体である。
【００４０】
剛体の固定具８０は、１つ以上の金属ロッドを成形し、互いの端部を溶接して、閉じた湾曲形状を連続させることによって形成され得る。上記固定具の形状は、２つの湾曲部８０Ａおよび２つの他の湾曲部８０Ｂをもたらす。２つの湾曲部８０Ａは、２つのメッシュ５４の１つ以上の金属ロッドの後ろにひっかけている。２つの他の湾曲部８０Ｂは、補強ストリップ接続を接続しており、閉じた湾曲の形状に沿って部分８０Ａと互い違いになっている。
【００４１】
この接続は、湾曲板の形態における単一のガイド９０を備えている。ガイド９０は、固定具の湾曲した部分８０Ｂに支えられている内面、および補強ストリップ２に受け入れられている湾曲した外面を有している。ガイド９０を形成している板は、接続された補強ストリップが外面の後ろにおいて締められたとき、圧縮状態になる。
【００４２】
剛体の固定具８０は、頑強であり、メッシュ型の外面５４への設置が非常に容易である。図１０に示されているように、必要に応じて、上記固定具をそれぞれの壁板５４Ａ、５４Ｂのいくつかの棒の筋のまわりに配置することによって、隣接するメッシュ壁板５４Ａ、５４Ｂの組立てを補助し得る。
【００４３】
図１０に示される型のストリップ−外面の接続システムは、いくつかの層が置かれた裏込めに好適である。上記いくつかの層は、第１の層および第２の層を含んでいる。第１の層は構造が建造される地盤５上に配置されている。第２の層は、美的な観点から、構造の前面に配置されている相対的に粗い材料（例えば石）の層である。ストリップ２が伸びている第１の層は、合成ストリップが損傷を受けないように、第２の層より微細な材料からできている。
【００４４】
固定具８０は、補強ストリップ２が、構造の前面から見えることを防いでいる。さらに、ストライプ２を構造の後方に移動させることは、上記ストライプ２が外面の前面における温度上昇にさらされることを遅らせるので、構造の耐火性を向上させる。
【００４５】
本発明は、上述の特定の実施形態に限定されず、多くの変形物は、添付の特許請求の範囲によって規定される範囲から逸脱せずに設計され得ることが理解される。
【図面の簡単な説明】
【００４６】
【図１】地面を補強する擁壁の概略の断面図である。
【図２】第１の実施形態における合成の補強ストリップが外面を通る通路を示す断面図である。
【図３】第１の実施形態における合成の補強ストリップが外面を通る通路を示す斜視図である。
【図４】第１の実施形態における、外面の要素の内部にある、補強ストリップの通路を規定するために使用され得る部分の斜視図である。
【図５】第１の実施形態における、補強ストリップを外面に接続するために使用され得る固定具の図である。
【図６】第１の実施形態における、固定具と補強ストリップとの間に使用され得るガイド手段の斜視図である。
【図７】第１の実施形態における、補強ストリップを取り付ける段階を示す図である。
【図８】第１の実施形態における、補強ストリップを取り付ける段階を示す図である。
【図９】第１の実施形態における、補強ストリップを取り付ける段階を示す図である。
【図１０】第２の実施形態における外面、固定具および補強ストリップの斜視図である。
【図１】
2013524043.tif 000003
【図２】
2013524043.tif 000004
【図３】
2013524043.tif 000005
【図４】
2013524043.tif 000006
【図５】
2013524043.tif 000007
【図６】
2013524043.tif 000008
【図７】
2013524043.tif 000009
【図８】
2013524043.tif 000010
【図９】
2013524043.tif 000011
【図１０】
2013524043.tif 000012
【国際調査報告】
2013524043.tif 000013
2013524043.tif 000014
2013524043.tif 000015
2013524043.tif 000016